(57)【要約】      （修正有）【課題】少し外出する際などに、一つ持ち歩くだけで、より利便性を高めることができる財布を提供する。【解決手段】貨幣を収納可能な財布本体１１の一方の側面側に携帯電話を収納可能な第一収納部１２を有し、対向する他方の側面側には、タバコのセットを収納可能な第二収納部１３を有する構成とされている。【選択図】図１
0003211927.tif 000002
【実用新案登録請求の範囲】
【請求項１】
貨幣を収納可能な財布本体の一方の側面側に携帯電話を収納可能な第一収納部を有し、対向する他方の側面側には、タバコのセットを収納可能な第二収納部を有することを特徴とする財布。
【請求項２】
前記第一収納部を形成する外側材の内側面には、近接型非接触式ＩＣカードを収納可能な第三収納部を有することを特徴とする請求項１に記載の財布。
【請求項３】
前記第一収納部は、前記携帯電話として、スマートフォンを収納可能な大きさであることを特徴とする請求項１又は２に記載の財布。
【請求項４】
前記第二収納部は、前記タバコのセットとして、加熱式タバコのセットを収納可能な大きさであることを特徴とする請求項１乃至３のいずれか１項に記載の財布。
【請求項５】
前記第一収納部を形成する外側材は、電磁波が透過し易い材料から成ることを特徴とする請求項１乃至４のいずれか１項に記載の財布。
【請求項６】
前記第一収納部を形成する外側材の内部には、クッション材が設けられていることを特徴とする請求項１乃至５のいずれか１項に記載の財布。
【請求項７】
前記クッション材は、電磁波が透過し易い材料から成ることを特徴とする請求項６に記載の財布。
【請求項８】
前記財布本体の外側には、ストラップが設けられていることを特徴とする請求項１乃至７のいずれか１項に記載の財布。
【考案の詳細な説明】
【技術分野】
【０００１】
本考案は、硬貨や紙幣などの貨幣だけでなく、他の物品も収納可能な財布に関するものである。
【背景技術】
【０００２】
従来から、貨幣や紙幣などの貨幣だけでなく、携帯すると便利な他の物品なども収納可能な財布は、数多く提案され、実施に供されている。
【０００３】
例えば、特許文献１には、財布の内部に、スマートフォンの収納部を備えた財布が開示されている。
【０００４】
しかしながら、近年、携帯すると便利な物品は、スマートフォンにとどまらなくなり、少し外出する際などに、一つ持ち歩くだけで、より利便性を高めることができる財布がほしいとの要請が多くの人々の間からあった。
【先行技術文献】
【特許文献】
【０００５】
【特許文献１】実用新案登録第３１７７９０１号公報
【考案の概要】
【考案が解決しようとする課題】
【０００６】
本考案は、以上のような従来の要請に応えるためのものであって、その課題は、少し外出する際などに、一つ持ち歩くだけで、より利便性を高めることができる財布を提供することにある。
【課題を解決するための手段】
【０００７】
前記課題を解決するために、請求項１記載の考案にあっては、貨幣を収納可能な財布本体の一方の側面側に携帯電話を収納可能な第一収納部を有し、対向する他方の側面側には、タバコのセットを収納可能な第二収納部を有することを特徴とする。
従って、前記財布を所持して外出する場合には、前記携帯電話及び前記タバコのセットも同時に所持して搬送することができる。
【０００８】
請求項２記載の考案にあっては、前記第一収納部を形成する外側材の内側面には、近接型非接触式ＩＣカードを収納可能な第三収納部を有することを特徴とする。
従って、前記財布を所持して外出する場合には、前記近接型非接触式ＩＣカードも同時に移動させることができる。
【０００９】
請求項３記載の考案にあっては、前記第一収納部は、前記携帯電話として、スマートフォンを収納可能な大きさであることを特徴とする。
従って、前記財布を所持して外出する場合には、前記スマートフォンも同時に移動させることができる。
【００１０】
請求項４記載の考案にあっては、前記第二収納部は、前記タバコのセットとして、加熱式タバコのセットを収納可能な大きさであることを特徴とする。
従って、前記財布を所持して外出する場合には、前記加熱式タバコのセットも同時に所持して搬送することができる。
【００１１】
請求項５記載の考案にあっては、前記第一収納部を形成する外側材は、電磁波が透過し易い材料から成ることを特徴とする。
従って、前記携帯電話の電波を受信し易い状態に保てると共に、前記第三収納部に前記近接型非接触式ＩＣカードを収納している場合は、読取機で容易に読み取れる状態に保てる。
【００１２】
請求項６記載の考案にあっては、前記第一収納部を形成する外側材の内部には、クッション材が設けられていることを特徴とする。
従って、前記財布を落とした際にも、前記クッション材により、前記携帯電話に加わる衝撃力が弱まると共に、前記第三収納部に前記近接型非接触式ＩＣカードを収納している場合は、前記近接型非接触式ＩＣカードに加わる衝撃力も弱まる。
【００１３】
請求項７記載の考案にあっては、前記クッション材は、電磁波が透過し易い材料から成ることを特徴とする。
従って、前記クッション材があっても、前記携帯電話の電波を受信し易い状態に保てると共に、前記第三収納部に前記近接型非接触式ＩＣカードを収納している場合は、読取機で容易に読み取れる状態に保てる。
【００１４】
請求項８記載の考案にあっては、前記財布本体の外側には、ストラップが設けられていることを特徴とする。
従って、前記ストラップを手で握ることができる。
【考案の効果】
【００１５】
請求項１記載の財布にあっては、貨幣を収納可能な財布本体の一方の側面側に携帯電話を収納可能な第一収納部を有し、対向する他方の側面側には、タバコのセットを収納可能な第二収納部を有する構成とされている。
従って、前記財布を所持して外出する場合には、前記携帯電話及び前記タバコのセットも同時に所持して搬送することができる。
その結果、前記財布を所持して外出する場合には、前記携帯電話及び前記タバコのセットも同時に所持して搬送することができるので、前記財布を持ち歩けば、前記財布本体内の貨幣を用いて買い物ができるだけでなく、前記携帯電話で電話連絡もでき、さらには、前記タバコのセットでタバコを嗜むこともできる。
すなわち、少し外出する際などに、一つ持ち歩くだけで、より利便性を高めることができる財布を提供することができる。
【００１６】
請求項２記載の財布にあっては、前記第一収納部を形成する外側材の内側面には、近接型非接触式ＩＣカードを収納可能な第三収納部を有する。
従って、前記財布を所持して外出する場合には、前記近接型非接触式ＩＣカードも同時に移動させることができる。
その結果、前記財布を所持して外出する場合には、前記近接型非接触式ＩＣカードも同時に移動させることができるので、前記近接型非接触式ＩＣカードを用いて電車などの交通機関を利用することができると共に、前記財布本体内から貨幣を取り出すのが面倒な際は、前記近接型非接触式ＩＣカードを用いて買い物をすることもできる。
【００１７】
請求項３記載の財布にあっては、前記第一収納部は、前記携帯電話として、スマートフォンを収納可能な大きさである。
従って、前記財布を所持して外出する場合には、前記スマートフォンも同時に移動させることができる。
その結果、前記財布を所持して外出する場合には、前記スマートフォンも同時に移動させることができるので、前記スマートフォンを用いて電話連絡だけでなく、前記スマートフォンが有する様々なアプリケーションの機能などを利用することもできる。
【００１８】
請求項４記載の財布にあっては、前記第二収納部は、前記タバコのセットとして、加熱式タバコのセットを収納可能な大きさである。
従って、前記財布を所持して外出する場合には、前記加熱式タバコのセットも同時に所持して搬送することができる。
その結果、前記財布を所持して外出する場合には、前記加熱式タバコのセットも同時に所持して搬送することができるので、副流煙が少ないなどの理由で人気が高まっている加熱式タバコを嗜むこともできる。
【００１９】
請求項５記載の財布にあっては、前記第一収納部を形成する外側材は、電磁波が透過し易い材料から成る。
従って、前記携帯電話の電波を受信し易い状態に保てると共に、前記第三収納部に前記近接型非接触式ＩＣカードを収納している場合は、読取機で容易に読み取れる状態に保てる。
その結果、前記携帯電話の電波を受信し易い状態に保てると共に、前記第三収納部に前記近接型非接触式ＩＣカードを収納している場合は、読取機で容易に読み取れる状態に保てるので、前記携帯電話への着信が遅れるおそれを低減することができると共に、前記第三収納部に前記近接型非接触式ＩＣカードを収納している場合は、前記近接型非接触式ＩＣカードを前記第三収納部から出さないで利用することができる。
【００２０】
請求項６記載の財布にあっては、前記第一収納部を形成する外側材の内部には、クッション材が設けられている。
従って、前記財布を落とした際にも、前記クッション材により、前記携帯電話に加わる衝撃力が弱まると共に、前記第三収納部に前記近接型非接触式ＩＣカードを収納している場合は、前記近接型非接触式ＩＣカードに加わる衝撃力も弱まる。
その結果、前記財布を落とした際にも、前記クッション材により、前記携帯電話に加わる衝撃力が弱まると共に、前記第三収納部に前記近接型非接触式ＩＣカードを収納している場合は、前記近接型非接触式ＩＣカードに加わる衝撃力も弱まるので、前記携帯電話が壊れてしまうおそれを低減することができると共に、前記第三収納部に前記近接型非接触式ＩＣカードを収納している場合は、前記近接型非接触式ＩＣカードが破損してしまうおそれも低減することができる。
【００２１】
請求項７記載の財布にあっては、前記クッション材は、電磁波が透過し易い材料から成る。
従って、前記クッション材があっても、前記携帯電話の電波を受信し易い状態に保てると共に、前記第三収納部に前記近接型非接触式ＩＣカードを収納している場合は、読取機で容易に読み取れる状態に保てる。
その結果、前記クッション材があっても、前記携帯電話の電波を受信し易い状態に保てると共に、前記第三収納部に前記近接型非接触式ＩＣカードを収納している場合は、読取機で容易に読み取れる状態に保てるので、前記携帯電話が壊れてしまうおそれを低減することができることを維持したままで、前記携帯電話への着信が遅れるおそれを低減することができると共に、前記第三収納部に前記近接型非接触式ＩＣカードを収納している場合は、前記近接型非接触式ＩＣカードが破損してしまうおそれも低減することができることを維持したままで、前記近接型非接触式ＩＣカードを前記第三収納部から出さないで利用することができる。
【００２２】
請求項８記載の財布にあっては、前記財布本体の外側には、ストラップが設けられている。
従って、前記ストラップを手で握ることができる。
その結果、前記ストラップを手で握ることができるので、前記財布を手軽に落とすことなく持ち運びすることができる。
【図面の簡単な説明】
【００２３】
【図１】図１は、本考案の一実施形態の財布の概略構成を示す斜視図である。
【図２】図２は、本考案の一実施形態の財布の一方の側面側の概略構成を示す側面図である。
【図３】図３は、本考案の一実施形態の財布の他方の側面側の概略構成を示す側面図である。
【考案を実施するための形態】
【００２４】
以下、本考案に係る財布を、一実施形態に基づき、図面を参照して説明する。
【００２５】
先ず、一実施形態の構成について説明する。
図１〜図３は、本考案の一実施形態の財布１０の概略構成を示している。
【００２６】
この一実施形態の財布１０は、図１〜図３に示したように、貨幣を収納可能な略長方形状の財布本体１１の一方の側面側に携帯電話としてのスマートフォン１５を収納可能な第一収納部１２を有し、厚さ方向に対向する他方の側面側には、タバコのセットとしての加熱式タバコのセット１６を収納可能な第二収納部１３を有する財布である。
【００２７】
ここで、図１に示したように、財布本体１１の長さ方向の上端部から幅方向の片側端部にかけて開口部１７が形成されており、この開口部１７には、開閉手段としてのスライドファスナー１８が設けられ、開閉可能とされている。
【００２８】
そして、財布本体１１の内部には、その中央に、硬貨やキーなどを収納するのに適した中央収納部１９が設けられている。
【００２９】
また、財布本体１１の内部の両側面には、複数のカード入２０，・・・が設けられており、クレジットカード、運転免許証、健康保険証、会員カード、及びポイントカードなどの様々な多くのカードが収納可能となっている。
【００３０】
さらに、これら財布本体１１の内部の両側面の複数のカード入２０，・・・の裏側には、お札やクーポン券やレシートなどを収納するのに適した側方収納部２１，２１がそれぞれ設けられている。
【００３１】
なお、中央収納部１９とカード入２０，・・・との間に形成される２つの空間２２，２２も、例えば、投函するための封書やハガキなどを入れておくための収納部として利用することができる。或いはお守りなどの小物を入れる収納部としても利用することができる。
【００３２】
また、図２に示したように、財布本体１１の一方の側面側の第一収納部１２は、外側材２３により形成されており、iPhone（登録商標）などのスマートフォン１５を収納可能な大きさであると共に、上側に開口部２４が形成されており、この開口部２４には、開閉手段としてのスライドファスナー２５が設けられ、このスライドファスナー２５のスライダー２６に設けられた引手２７により開閉可能とされている。
【００３３】
さらに、第一収納部１２を形成する外側材２３の内側面には、SUICA(登録商標)などの近接型非接触式ＩＣカード２８を収納可能なポケット型の第三収納部１４を有する。
【００３４】
ここで、第一収納部１２を形成する外側材２３は、電磁波が透過し易い例えば合成皮革や本革などの材料から成る。
【００３５】
また、第一収納部１２を形成するこの外側材２３の内部には、図示省略のクッション材が設けられている。
【００３６】
さらに、この図示省略のクッション材は、電磁波が透過し易い例えばスポンジなどの材料から成る。
【００３７】
また、図３に示したように、財布本体１１の他方の側面側の第二収納部１３は、外側材２９により形成されており、タバコのセットとしての加熱式タバコのセット１６を収納可能な大きさであると共に、上側に開口部３０が形成されており、この開口部３０には、蓋３１が設けられ、この蓋３１には、開閉手段としてのホック３２が設けられ、このホック３２の着脱により開閉可能とされている。
【００３８】
ここで、タバコのセットとしての加熱式タバコのセット１６は、一例として、IQOS(登録商標)のセットを示した。
【００３９】
この加熱式タバコのセット１６は、２０本のヒートスティック３３が入ったケース３４と、ヒートスティック３３を吸うときに差し込んで加熱するためのホルダー３５と、ホルダー３５を充電するためのチャージャー３６とから成る。
【００４０】
なお、ホルダー３５は、１本のヒートスティック３３を吸うと加熱するための電力がなくなり、チャージャー３６で再度充電しなければならないので、複数本のヒートスティック３３を連続して吸いたい人のために、第二収納部１３は、複数個のホルダー３５も収納できる余裕のある大きさとなっている。
【００４１】
また、ヒートスティック３３は、吸い終わっても灰は出ず、原型をとどめたままであり、灰皿はいらないので、吸い終わったヒートスティック３３は、ケース３４の空いた箇所などに入れておけばよい。
【００４２】
また、財布本体１１の外側には、ストラップ３７が設けられている。
具体的には、ストラップ３７は、図１に示したように、財布本体１１の開口部１７に設けられたスライドファスナー１８のスライダー３８に設けられた引手３９に取り付けられている。
【００４３】
次に、この一実施形態の作用効果について説明する。
【００４４】
この本考案の一実施形態の財布１０は、図１〜図３に示したように、貨幣を収納可能な財布本体１１の一方の側面側に携帯電話としてのスマートフォン１５を収納可能な第一収納部１２を有し、対向する他方の側面側には、タバコのセットとしての加熱式タバコのセット１６を収納可能な第二収納部１３を有する構成とされている。
【００４５】
従って、財布１０を所持して外出する場合には、携帯電話としてのスマートフォン１５及びタバコのセットとしての加熱式タバコのセット１６も同時に所持して搬送することができる。
【００４６】
その結果、財布１０を所持して外出する場合には、携帯電話としてのスマートフォン１５及びタバコのセットとしての加熱式タバコのセット１６も同時に所持して搬送することができるので、財布１０を持ち歩けば、財布本体１１内の貨幣を用いて買い物ができるだけでなく、携帯電話としてのスマートフォン１５で電話連絡もでき、さらには、タバコのセットとしての加熱式タバコのセット１６で加熱式タバコを嗜むこともできる。
【００４７】
すなわち、少し外出する際などに、一つ持ち歩くだけで、より利便性を高めることができる財布１０を提供することができる。
【００４８】
ここで、第一収納部１２を形成する外側材２３の内側面には、SUICA(登録商標)などの近接型非接触式ＩＣカード２８を収納可能な第三収納部１４を有する。
【００４９】
従って、財布１０を所持して外出する場合には、近接型非接触式ＩＣカード２８も同時に移動させることができる。
【００５０】
その結果、財布１０を所持して外出する場合には、近接型非接触式ＩＣカード２８も同時に移動させることができるので、近接型非接触式ＩＣカード２８を用いて電車などの交通機関を利用することができると共に、財布本体１１内から貨幣を取り出すのが面倒な際は、近接型非接触式ＩＣカード２８を用いて買い物をすることもできる。
【００５１】
また、第一収納部１２は、携帯電話として、iPhone（登録商標）などのスマートフォン１５を収納可能な大きさである。
【００５２】
従って、財布１０を所持して外出する場合には、スマートフォン１５も同時に移動させることができる。
【００５３】
その結果、財布１０を所持して外出する場合には、スマートフォン１５も同時に移動させることができるので、スマートフォン１５を用いて電話連絡だけでなく、スマートフォン１５が有する様々なアプリケーションの機能などを利用することもできる。
【００５４】
例えば、ゲームのアプリケーションを用いれば、待ち合わせの際の待っている間の暇潰しができ、道に迷ったときなど、道案内のアプリケーションを用いれば、目的地までスムーズに行くことができる。
【００５５】
さらに、第二収納部１３は、タバコのセットとして、IQOS(登録商標)のセットなどの加熱式タバコのセット１６を収納可能な大きさである。
【００５６】
従って、財布１０を所持して外出する場合には、加熱式タバコのセット１６も同時に所持して搬送することができる。
【００５７】
その結果、財布１０を所持して外出する場合には、加熱式タバコのセット１６も同時に所持して搬送することができるので、副流煙が少ないなどの理由で人気が高まっている加熱式タバコを嗜むこともできる。
【００５８】
また、第一収納部１２を形成する外側材２３は、電磁波が透過し易い例えば合成皮革や本革などの材料から成る。
【００５９】
従って、携帯電話としてのスマートフォン１５の電波を受信し易い状態に保てると共に、第三収納部１４に近接型非接触式ＩＣカード２８を収納している場合は、読取機で容易に読み取れる状態に保てる。
【００６０】
その結果、携帯電話としてのスマートフォン１５の電波を受信し易い状態に保てると共に、第三収納部１４に近接型非接触式ＩＣカード２８を収納している場合は、読取機で容易に読み取れる状態に保てるので、携帯電話としてのスマートフォン１５への着信が遅れるおそれを低減することができると共に、第三収納部１４に近接型非接触式ＩＣカード２８を収納している場合は、近接型非接触式ＩＣカード２８を第三収納部１４から出さないで利用することができる。
【００６１】
そのうえ、財布本体１１の表にあらわれる部分や第二収納部１３を形成する外側材２９やその蓋３１も合成皮革や本革などの材料から成るものとすれば、見栄えが良く、外観品質を向上させることもできる。
【００６２】
また、第一収納部１２を形成する外側材２３の内部には、図示省略のクッション材が設けられている。
【００６３】
従って、財布１０を落とした際にも、図示省略のクッション材により、携帯電話としてのスマートフォン１５に加わる衝撃力が弱まると共に、第三収納部１４に近接型非接触式ＩＣカード２８を収納している場合は、近接型非接触式ＩＣカード２８に加わる衝撃力も弱まる。
【００６４】
その結果、財布１０を落とした際にも、図示省略のクッション材により、携帯電話としてのスマートフォン１５に加わる衝撃力が弱まると共に、第三収納部１４に近接型非接触式ＩＣカード２８を収納している場合は、近接型非接触式ＩＣカード２８に加わる衝撃力も弱まるので、携帯電話としてのスマートフォン１５が壊れてしまうおそれを低減することができると共に、第三収納部１４に近接型非接触式ＩＣカード２８を収納している場合は、近接型非接触式ＩＣカード２８が破損してしまうおそれも低減することができる。
【００６５】
さらに、図示省略のクッション材は、電磁波が透過し易い例えばスポンジなどの材料から成る。
【００６６】
従って、図示省略のクッション材があっても、携帯電話としてのスマートフォン１５の電波を受信し易い状態に保てると共に、第三収納部１４に近接型非接触式ＩＣカード２８を収納している場合は、読取機で容易に読み取れる状態に保てる。
【００６７】
その結果、図示省略のクッション材があっても、携帯電話としてのスマートフォン１５の電波を受信し易い状態に保てると共に、第三収納部１４に近接型非接触式ＩＣカード２８を収納している場合は、読取機で容易に読み取れる状態に保てるので、携帯電話としてのスマートフォン１５が壊れてしまうおそれを低減することができることを維持したままで、携帯電話としてのスマートフォン１５への着信が遅れるおそれを低減することができると共に、第三収納部１４に近接型非接触式ＩＣカード２８を収納している場合は、近接型非接触式ＩＣカード２８が破損してしまうおそれも低減することができることを維持したままで、近接型非接触式ＩＣカード２８を第三収納部１４から出さないで利用することができる。
【００６８】
また、財布本体１１の外側には、ストラップ３７が設けられている。
従って、ストラップ３７を手で握ることができる。
その結果、ストラップ３７を手で握ることができるので、財布１０を手軽に落とすことなく持ち運びすることができる。
【００６９】
また、財布本体１１の内部の両側面には、複数のカード入２０，・・・が設けられており、クレジットカード、運転免許証、健康保険証、会員カード、及びポイントカードなどの様々な多くのカードが収納可能となっている。
【００７０】
従って、様々な状況に対処できる状態にすることができる。
その結果、クレジットカードをカード入２０に収納していれば、現金の持ち合わせがないときにも対応することができ、運転免許証をカード入２０に収納していれば、車の運転をしなければならない状況にも対応することができ、健康保険証をカード入２０に収納していれば、急に気分が悪くなった際などにも病院に行くことができ、会員カードをカード入２０に収納していれば、例えば入会しているスポーツクラブなどにも気軽に行くことができ、ポイントカードをカード入２０に収納していれば、買い物をした際などにポイントを受けることができる。
【００７１】
さらに、財布本体１１の内部には、中央収納部１９とカード入２０，・・・との間に２つの空間２２，２２が形成される。
【００７２】
従って、これらの空間２２，２２に入る物品を入れて財布１０を所持して外出する場合には、空間２２，２２内のこの物品も同時に移動させることができる。
【００７３】
その結果、例えば、投函するための封書やハガキなどの物品を入れておくための収納部として利用することができる。
封書やハガキなどは、気軽に投函しようとしても、衣服のポケットなどに入れるには中途半端な大きさであり、極力折ったりしてはならないことから、これらの空間２２，２２は、便利である。
また、買い物の前後に選挙へ行く際などに、投票用紙を入れることなどにも利用することができる。
その他、お守りなどの小物の物品を入れる収納部としても利用することができる。
【００７４】
以上、本考案に係る財布の一実施形態について図面を参照して詳述してきたが、具体的な構成は、この一実施形態に限らず、本考案の要旨を逸脱しない程度の設計的変更は、本考案に含まれる。
【００７５】
例えば、上記した一実施形態では、第一収納部１２内へ収納する携帯電話を、スマートフォン１５としたが、これに限定されず、通称ガラケーと言われる旧式の折り畳み式の携帯電話などを収納することもできる。
【００７６】
この旧式の折り畳み式の携帯電話も、未だに根強い人気が有り、例えば、営業マンなどは、使い勝手の良さから、こちらの方を用いる傾向もある。
【００７７】
また、上記した一実施形態では、第三収納部１４内にSUICA(登録商標)などの近接型非接触式ＩＣカード２８を収納したが、これに限定されず、携帯電話としてのスマートフォン１５が、SUICA(登録商標)などの近接型非接触式ＩＣカード２８の機能を記憶できるタイプのものであれば、第三収納部１４内にSUICA(登録商標)などの近接型非接触式ＩＣカード２８を収納する必要はない。
【００７８】
さらに、上記した一実施形態では、第二収納部１３内へ収納するタバコのセットを、IQOS(登録商標)などの加熱式タバコのセット１６としたが、これに限定されず、中に紙タバコが入ったケースと、紙タバコに火をつけるためのライターと、吸ったときに出る灰を捨てるための携帯灰皿とから成るタバコのセットを収納してもよい。
【００７９】
紙タバコも、本数を少なくすれば、健康への悪影響も少ないという説もあり、携帯灰皿を持ち歩くなどマナーさえ守れば良いという意見もあることから、未だに根強い人気がある。
【００８０】
或いは、タバコのセットとして、ニコチンを全く含まない電子タバコのセットを、第二収納部１３へ収納してもよい。
【００８１】
また、上記した一実施形態では、第一収納部１２を形成する外側材２３の内部に、図示省略のクッション材を設けたが、これに限定されない。
【００８２】
近年、落としても壊れにくいタイプの携帯電話が数多く開発され、市場に出回っているので、この図示省略のクッション材を設けずに実施してもよい。
【００８３】
さらに、上記した一実施形態では、ストラップ３７を手で握れる程度の長さにしたが、これに限定されず、肩にかけることができるショルダータイプのものにしたり、長さ調整を可能として、いずれでも使用できるようにしたりして実施してもよい。
【産業上の利用可能性】
【００８４】
本考案に係る財布は、少し外出する際などに、一つ持ち歩くだけで、より利便性を高めることができる財布として、男女を問わず広く用いることができ、産業上利用可能性を有している。
【符号の説明】
【００８５】
１０    財布
１１    財布本体
１２    第一収納部
１３    第二収納部
１４    第三収納部
１５    スマートフォン（携帯電話）
１６    加熱式タバコのセット（タバコのセット）
１７    開口部
１８    スライドファスナー（開閉手段）
１９    中央収納部
２０    カード入
２１    側方収納部
２２    空間
２３    外側材
２４    開口部
２５    スライドファスナー（開閉手段）
２６    スライダー
２７    引手
２８    近接型非接触式ＩＣカード
２９    外側材
３０    開口部
３１    蓋
３２    ホック（開閉手段）
３３    ヒートスティック
３４    ケース
３５    ホルダー
３６    チャージャー
３７    ストラップ
３８    スライダー
３９    引手
【図１】
0003211927.tif 000003
【図２】
0003211927.tif 000004
【図３】
0003211927.tif 000005